(57)【要約】【目的】ファーストプリントタイムを短縮するとともに、出力電流容量の少ない電源においても、過電流による電源シャットダウンの発生を防いで電源コストを低く抑えることができる画像形成装置を提供すること。【構成】静電写真プロセスを利用した画像形成装置において、用紙を搬送する駆動源であり、速度検出手段を備えたメインモータを起動し、速度検出手段によって検出したメインモータの回転数を監視し、メインモータが規定回転数に到達し、メインモータの電源電流が立ち下がったと予知される時間経過後、ポリゴンミラーを回転駆動するためのスキャナモータや用紙上の現像剤を熱定着させる熱定着装置の発熱部に通電切り換えを行うリレースイッチを立ち上げる。【選択図】      図１
2004333807.tif 000002
【特許請求の範囲】
【請求項１】
静電写真プロセスを利用した画像形成装置において、
用紙を搬送する駆動源であり、速度検出手段を備えたメインモータを起動し、速度検出手段によって検出したメインモータの回転数を監視し、メインモータが規定回転数に到達し、メインモータの電源電流が立ち下がったと予知される時間経過後、ポリゴンミラーを回転駆動するためのスキャナモータや用紙上の現像剤を熱定着させる熱定着装置の発熱部に通電切り換えを行うリレースイッチを立ち上げることを特徴とする画像形成装置。
【請求項２】
前記メインモータは、ＤＣブラシレスモータであることを特徴とする請求項１記載の画像形成装置。
【発明の詳細な説明】
【０００１】
【発明の属する技術分野】
本発明は、画像形成装置におけるモータや定着ヒータをＯＮ／ＯＦＦするリレースイッチ等立ち上げ時に過大な電流が流れるユニットの立ち上げタイミングに関するものである。
【０００２】
【従来の技術】
従来、レーザプリンタの電源装置はコストダウンや小型化をするために電源容量を低く設定しなくてはならなかった。そのため、立ち上げ時に過大なピーク電流が流れるメインモータやスキャナモータ、定着ヒータをＯＮ／ＯＦＦするリレーのピーク電流が重ならないようにするため、通常時には起こらないような極度に高い機械的な負荷トルクの最悪条件等を見込んで、メインモータを立ち上げてから充分余裕を持たせた一定時間経過後にスキャナモータや定着ヒータを立ち上げていた。
【０００３】
又、例えば特許文献１のように、各デバイスの立ち上げタイミングに関して種々の試みがなされている。
【０００４】
【特許文献１】
特開平０５−２５７３４５号公報
【０００５】
【発明が解決しようとする課題】
しかしながら、通常時には起こらないような極度に高い機械的な負荷トルクの最悪条件等を見込んでメインモータを立ち上げてから充分余裕を持たせて一定時間経過後にスキャナモータや定着ヒータを立ち上げているため、ファーストプリントタイムを短縮させることができず、成熟産業となりつつある低価格のレーザプリンタにおいて、他社との差別化を図れずにいた。
【０００６】
本発明は上記問題に鑑みてなされたもので、その目的とする処は、ファーストプリントタイムを短縮するとともに、出力電流容量の少ない電源においても、過電流による電源シャットダウンの発生を防いで電源コストを低く抑えることができる画像形成装置を提供することにある。
【０００７】
【課題を解決するための手段】
上記目的を達成するため、本発明は、静電写真プロセスを利用した画像形成装置において、用紙を搬送する駆動源であり、速度検出手段を備えたメインモータを起動し、速度検出手段によって検出したメインモータの回転数を監視し、メインモータが規定回転数に到達し、メインモータの電源電流が立ち下がったと予知される時間経過後、ポリゴンミラーを回転駆動するためのスキャナモータや用紙上の現像剤を熱定着させる熱定着装置の発熱部に通電切り換えを行うリレースイッチを立ち上げることを特徴とする。
【０００８】
請求項２記載の発明は、請求項１記載の発明において、前記メインモータは、ＤＣブラシレスモータであることを特徴とする。
【０００９】
【発明の実施の形態】
以下に本発明の実施の形態を添付図面に基づいて説明する。
【００１０】
図１はレーザビームプリンタの構成を説明する断面図である。
【００１１】
図１において、１０１はレーザビームプリンタ本体、１０２はペーパーカセットである。カセット給紙ローラ１０３ａ及び搬送ローラ対１０３ｂの駆動により、用紙は搬送される。１０４はレーザスキャナユニットであり、画像データに基づいてレーザ光として変調し、感光体ドラム１０５ａ上に走査しながら静電潜像を形成する。感光ドラム表面は予め帯電器１０５ｂにより帯電してあり、感光ドラム１０５ａに照射された静電潜像は、現像器１０５ｃでトナー現像され、転写部１０６で用紙に転写される。用紙上のトナー像は熱定着装置１０７で用紙に熱と圧力を加えて像を定着させる。フェイスアップ排紙ローラ対１０８で熱定着装置１０７を通過した用紙を搬送し、フェイスアップトレイ１０９へ排出する。
【００１２】
図２及び図３は本発明の実施の形態を説明する図である。
【００１３】
従来、レーザプリンタの電源装置はコストダウンや小型化をするために電源容量を低く設定しなくてはならなかった。そのため、立ち上げ時に過大なピーク電流が流れるメインモータ、スキャナモータ、熱定着装置のヒータをＯＮ／ＯＦＦするためのリレースイッチのピーク電流が重ならないようにするため、通常時には起こらないような極度に高い機械的な負荷トルクの最悪条件等を見込んで、メインモータを立ち上げてから充分余裕を持たせた一定時間：Ｔ１（例えば、５００ｍｓ）経過後にスキャナモータや熱定着装置のヒータをＯＮ／ＯＦＦするためのリレースイッチを立ち上げていた。
【００１４】
図２に示すようにメインモータの立ち上げから規定回転数に到達する時間（例えば、機械的な負荷トルクが低い場合は２００ｍｓ、高い場合は２５０ｍｓ程度となる）はレーザプリンタの機械的な負荷トルクによって変化する。又、電源電流と回転数の立ち上がりもほぼ比例する。メインモータの回転数が規定回転数に到達すると、電源電流が下がっていく。メインモータの電源電流が規定回転数に到達してから、定常電流に落ち着くまでの時間は約１００ｍｓである。メインモータの回転数が規定回転数となり、定常電流に落ち着く前の一定時間ΔＴ（例えば、５０ｍｓ）経過後、スキャナモータや熱定着装置のヒータをＯＮ／ＯＦＦするためのリレースイッチ立ち上げる。
【００１５】
機械的な負荷トルクが低い場合、メインモータを立ち上げてから規定回転数に到達する時間をＴ２▲１▼（２００ｍｓ）、規定回転数に到達してから電源電流が定常電流に到達する時間をＴ２▲２▼（１００ｍｓ）、規定回転数に到達すると、メインモータの電源電流は立ち下がっていくので、ΔＴ（例えば、５０ｍｓ）経過後、スキャナモータや熱定着装置のヒータをＯＮ／ＯＦＦするためのリレースイッチを立ち上げる。このようにすると従来メインモータ立ち上げからスキャナモータや熱定着装置のヒータをＯＮ／ＯＦＦするためのリレースイッチを立ち上げるまでＴ１（５００ｍｓ）掛かっていたものが、Ｔ２▲１▼＋ΔＴ（２５０ｍｓ）に短縮できる（Ｔ１＞Ｔ２▲１▼＋ΔＴ）。これによりファーストプリントタイムを短縮することができる。
【００１６】
機械的な負荷トルクが高い場合、メインモータを立ち上げてから規定回転数に到達する時間をＴ３▲１▼（２５０ｍｓ）、規定回転数に到達してから電源電流が定常電流に到達する時間をＴ３▲２▼（１００ｍｓ）、規定回転数に到達すると、メインモータの電源電流は立ち下がっていくので、ΔＴ（例えば、５０ｍｓ）経過後、スキャナモータや熱定着装置のヒータをＯＮ／ＯＦＦするためのリレースイッチを立ち上げる。このようにすると、従来メインモータ立ち上げからスキャナモータや熱定着装置のヒータをＯＮ／ＯＦＦするためのリレースイッチを立ち上げるまでＴ１（５００ｍｓ）掛かっていたものが、Ｔ３▲１▼＋ΔＴ（２５０ｍｓ）に短縮できる（Ｔ１＞Ｔ３▲１▼＋ΔＴ）。これによりファーストプリントタイムを短縮することができる。
【００１７】
上記したようにメインモータが規定回転数に到達する時間をモニタしているので、機械的な負荷トルクによってメインモータの立ち上げからスキャナモータや熱定着装置のヒータをＯＮ／ＯＦＦするためのリレースイッチの立ち上げ時間を調節しているので、従来、行われていたメインモータを立ち上げてから一定時間経過後にスキャナモータや熱定着装置のヒータをＯＮ／ＯＦＦするためのリレースイッチを立ち上げる方式と比較してファーストプリントタイムを短縮することができる。
【００１８】
又、機械的な負荷トルクが極度に高く、メインモータの立ち上がりから規定回転数になるまでの時間が長くなった場合に、規定回転数後にスキャナモータや熱定着装置のヒータをＯＮ／ＯＦＦするためのリレースイッチを立ち上げる、出力電流容量の少ない電源においても、過電流による電源シャットダウンが発生することはない。
【００１９】
【発明の効果】
以上の説明で明らかなように、本発明によれば、静電写真プロセスを利用した画像形成装置において、用紙を搬送する駆動源であり、速度検出手段を備えたメインモータを起動し、速度検出手段によって検出したメインモータの回転数を監視し、メインモータが規定回転数に到達し、メインモータの電源電流が立ち下がったと予知される時間経過後、ポリゴンミラーを回転駆動するためのスキャナモータや用紙上の現像剤を熱定着させる熱定着装置の発熱部に通電切り換えを行うリレースイッチを立ち上げるようにしたため、ファーストプリントタイムを短縮するとともに、出力電流容量の少ない電源においても、過電流による電源シャットダウンの発生を防いで電源コストを低く抑えることができるという効果が得られる。
【図面の簡単な説明】
【図１】本発明に係るレーザビームプリンタの構成を説明する断面図である。
【図２】本発明の実施例を説明する図である。
【図３】本発明の実施例を説明する図である。
【符号の説明】
１０１    レーザビームプリンタ本体
１０２    ペーパーカセット
１０３ａ  カセット給紙ローラ
１０３ｂ  搬送ローラ対
１０４    レーザスキャナユニット
１０５ａ  感光ドラム
１０５ｂ  帯電器
１０５ｃ  現像器
１０６    転写部
１０７    熱定着装置
１０８    フェイスアップ排紙ローラ対
１０９    フェイスアップトレイ
１１０    ＤＣコントローラ
【図１】
2004333807.tif 000003
【図２】
2004333807.tif 000004
【図３】
2004333807.tif 000005